(57)【要約】      （修正有）【課題】回転工具にではなくドライバービット自体にねじ込み深さ調節機能を付与した取り扱いが容易なドライバービットを提供する。【解決手段】ねじ体をねじ孔にねじ込むことに用いる、ねじ込み深さ調節機能を有するドライバービットであり、係合部１４が軸部１１の先端に一体に設けられてなるビット本体１０と、ビット本体の軸部に軸方向スライド可能に嵌合される筒状体２０と、筒状体を軸部の軸方向任意箇所に固定する位置決め機構３０と、筒状体の先端部の当たり部２１と、を有する。位置決め機構３０には、ロックナット体３４を用いるもの、止めねじを用いるもの、などを採用することが可能である。【選択図】図１Ａ
0003218679.tif 000002
【実用新案登録請求の範囲】
【請求項１】
ねじ体をねじ孔にねじ込むことに用いられる、ねじ込み深さ調節機能を有するドライバービットであって、
上記ねじ体の端部に具備された被係合面としての周面に対して抜き差し自在でかつ周方向で係合可能な係合部がロッド状の軸部の先端に一体に設けられてなるビット本体と、
このビット本体の上記軸部に軸方向スライド可能に嵌合される筒状体と、
この筒状体を上記軸部の軸方向任意箇所に固定する位置決め機構と、
上記筒状体の先端部により形成されて、上記ねじ体のねじ込み時に上記ねじ孔の開口周縁部に突き当てられる当たり部と、
を有することを特徴とする、ねじ込み深さ調節機能を有するドライバービット。
【請求項２】
上記位置決め機構が、ビット本体の上記軸部の一部に形成された雄ねじ部と、上記筒状体の後端部に設けられて上記雄ねじ部に対してねじ合わせ可能なねじ孔を有する筒部と、
上記雄ねじ部にねじ合わされて、上記筒部の端面を軸方向に押圧することによって上記筒状体が上記軸部に対して回転することを阻止する機能を発揮するロックナット体と、でなる請求項１に記載した、ねじ込み深さ調節機能を有するドライバービット。
【請求項３】
上記軸部及び上記筒部の両方の表面に目印として利用可能なマークが施されている請求項２に記載した、ねじ込み深さ調節機能を有するドライバービット。
【請求項４】
上記位置決め機構が、上記筒状体の筒壁を貫通するねじ受け孔と、このねじ受け孔にねじ込まれて上記筒状体が嵌合されている上記軸部に先端が突き当てられる止めねじと、でなる請求項１に記載した、ねじ込み深さ調節機能を有するドライバービット。
【請求項５】
上記位置決め機構が、上記筒状体の後端部に形成されて周方向の複数箇所に割溝を有する縮径可能な雄ねじ付き筒部と、この雄ねじ付き筒部にねじ合わされるナット体と、このナット体を上記筒部の雄ねじ付き筒部にねじ込むことを介して上記雄ねじ付き筒部を縮径させることによりこの雄ねじ付き筒部で上記軸部を挟持させる作用を発揮する締付け機構と、でなる請求項１に記載した、ねじ込み深さ調節機能を有するドライバービット。
【考案の詳細な説明】
【技術分野】
【０００１】
本考案は、止めねじやボルトといったねじ体をねじ孔にねじ込むときのねじ込み深さを調節する機能が付与された、ねじ込み深さ調節機能を有するドライバービットに関する。
【背景技術】
【０００２】
周知のように、ドライバービットは、止めねじやボルトなどのねじ体を機械部品やその他の部材のねじ孔にねじ込むことに使用され、その先端の係合部には、相手方ねじ体の端部に具備されている被係合面としての周面の形状に見合う形状が付与されている。例を挙げると、被係合面が六角孔の周面（内周面）であるねじ体のねじ込みには、六角柱状の係合部を有するドライバービットが用いられ、被係合面が六角形の頭部の周面（外周面）であるねじ体のねじ込みには、六角形の係合部を有するソケット型のドライバービットが用いられる。
【０００３】
また、ねじ孔にねじ体をねじ込むときの状況には、複数の部材をねじ結合するときのようにねじ体をねじ孔に締め付けてしまう場合（以下「本締め」という）のほか、所定のねじ込み深さまでねじ込むだけのねじ込みを行う場合（以下「予備締め」という）があり、予備締め後には、通常、本締めが行われる。予備締めを行う事例としては、たとえば、筒状のカラーを軸棒に止めねじで固定する作業を行うのに際して、軸棒にカラーを嵌合した後に必要になる止めねじの本締め時の回転操作量をできるだけ少なくしてその作業に要する労力を軽減するために、軸棒に嵌合するのに先だってカラーのねじ孔に所定のねじ込み深さまで止めねじ（ねじ体）をインパクトドライバーなどの電動工具を用いて予備締めしておくことがある。この種の予備締めを多くのカラーを対象として行う場合、ねじ孔への止めねじのねじ込み深さの精度を高めておくことが本締め時の作業効率を向上させる上で有益であるけれども、作業者の勘に頼る予備締めではねじ込み深さに大きなばらつきが発生することを避けられない。
【０００４】
一方、先行例として、回転工具に採用されるねじ締め付け深さ調整装置が提案されている（特許文献１参照）。この先行例では、電動ドライバーのような回転工具の円筒突部の外周の雄ねじにスリーブの雌ねじをねじ合わせることによって、スリーブを軸方向移動可能に取り付けてある。そして、上記円筒突部に対して軸方向で位置決めした上記スリーブの先端を作業面に押し付けることによって、回転工具の駆動部に取り付けられたドライバービットの移動量を制限するようにしている。
【０００５】
また、他の先行例として、電動回転工具のアタッチメントが提案されている（特許文献二参照）。この先行例には、電動回転工具のビット取付用筒軸がトルクリミッタを介して六角ビットに連動連結されているものが開示されている。
【先行技術文献】
【特許文献】
【０００６】
【特許文献１】特開平２−２７９２８０号公報
【特許文献２】特開昭５９−９７８５０号公報
【考案の概要】
【考案が解決しようとする課題】
【０００７】
しかしながら、先行例としての特許文献１によって提案されているものは、ねじ込み深さ調節に利用されるスリーブを回転工具側に取り付けるものであるため、スリーブが回転工具の大きさに見合って大形化し、取扱いが複雑になるという問題点があるほか、回転工具の径大な円筒突部の雄ねじ径に合わせてスリーブの雌ねじ形成箇所を径大にする必要がある反面で、回転工具の回転部材に取り付けられたドライバービットとスリーブの開口壁との間隔を狭くしてスリーブからのドライバービットの突出幅を設定しやすくするためには、スリーブの開口部を絞り形状にしてその内径をドライバービットの直径に近付ける必要があるために、スリーブの形状が複雑になって製作コストが高くつくという問題点もあった。
【０００８】
また、先行例２によって提案されているアタッチメントは、トルクリミッタの作用を利用して六角ビットによる締付力を制限するものであるため、トルク変化を生じない上記した予備締めには利用することができない。
【０００９】
本考案は、以上の状況に鑑み、回転工具にねじ込み深さ調節機能を付与するのではなく、ドライバービット自体にねじ込み深さ調節機能を付与することのできる対策を講じることによって、取扱いの複雑化を回避し、併せて、予備締め時のねじ込み深さ調節を容易にかつ精度よく行うことのできる、ねじ込み深さ調節機能を有するドライバービットを提供することを目的としている。
【課題を解決するための手段】
【００１０】
本考案に係る、ねじ込み深さ調節機能を有するドライバービットは、ねじ体をねじ孔にねじ込むことに用いられるドライバービットであって、上記ねじ体の端部に具備された被係合面としての周面に対して抜き差し自在でかつ周方向で係合可能な係合部がロッド状の軸部の先端に一体に設けられてなるビット本体と、このビット本体の上記軸部に軸方向スライド可能に嵌合される筒状体と、この筒状体を上記軸部の軸方向任意箇所に固定する位置決め機構と、上記筒状体の先端部により形成されて、上記ねじ体のねじ込み時に上記ねじ孔の開口周縁部に突き当てられる当たり部と、を有する、というものである。
【００１１】
この構成を有する、ねじ込み深さ調節機能を有するドライバービットでは、ビット本体の軸部に位置決め機構を介して筒状体を固定し、ビット本体の係合部をねじ体の被係合具としての周面に係合させた状態でビット本体の回転をねじ体に伝達してねじ体をねじ孔にねじ込むと、ねじ込みに伴って筒状体がビット本体と共に前進してその当たり部がねじ孔の開口周縁部に突き当たり、これによってねじ込みに伴うビット本体の前進が阻止される。そして、その後のビット本体の回転がねじ体に伝達されると、ねじ体だけが前進してねじ体の被係合面としての周面からビット本体の係合部が抜け出し、ビット本体からねじ体への回転の伝達がなされなくなる。これによって、ねじ体のねじ込み深さが定まり、予備締めが終了する。また、この構成では、ビット本体の軸部にスライド可能に嵌合した筒状体を位置決め機構を介してその軸部に固定するものであるので、当該ドライバービット自体にねじ込み深さ調節機能が付与されるだけでなく、ビット本体の軸部に筒状体を固定する際に、ねじ込み深さ調節のために行われる筒状体の位置の選定を容易にかつ精度よく行うことが可能になり、取扱いも容易になる。
【００１２】
本考案では、上記位置決め機構が、ビット本体の上記軸部の一部に形成された雄ねじ部と、上記筒状体の後端部に設けられて上記雄ねじ部に対してねじ合わせ可能なねじ孔を有する筒部と、上記雄ねじ部にねじ合わされて、上記筒部の端面を軸方向に押圧することによって上記筒状体が上記軸部に対して回転することを阻止する機能を発揮するロックナット体と、でなる、という構成を採用することが可能である。これによると、ロックナット体の作用によって筒状体がビット本体の軸部に確実に固定されるので、予備締め時に、筒状体が初期の位置から位置ずれしてねじ込み深さ調節の精度が低下するという事態が起こりにくい。また、この考案では、上記軸部及び上記筒部の両方の表面に目印として利用可能なマークが施されていてもよい。これらのマークは、たとえば、筒部のねじ孔をビット本体の軸部の雄ねじとねじ合わせて軸部に対する筒状体の固定位置を微調節する際に、筒部を回転させたときの筒部の軸方向移動量の目安を知ることに役立つ。
【００１３】
本考案では、上記位置決め機構が、上記筒状体の筒壁を貫通するねじ受け孔と、このねじ受け孔にねじ込まれて上記筒状体が嵌合されている上記軸部に先端が突き当てられる止めねじと、でなるものであってよい。これによると、ビット本体の軸部に筒状体を嵌合してから止めねじをねじ受け孔にねじ込んで締め付けると、止めねじの先端が軸部に突き当たって筒状体が軸部に固定される。
【００１４】
さらに、本考案では、上記位置決め機構が、上記筒状体の後端部に形成されて周方向の複数箇所に割溝を有する縮径可能な雄ねじ付き筒部と、この雄ねじ付き筒部にねじ合わされるナット体と、このナット体を上記筒部の雄ねじ付き筒部にねじ込むことを介して上記雄ねじ付き筒部を縮径させることによりこの雄ねじ付き筒部で上記軸部を挟持させる作用を発揮する締付け機構と、でなるものであってよい。これによると、ビット本体の軸部に筒状体を嵌合し、併せて、雄ねじ付き筒部にナット体をねじ込んで締め付けると、締付け機構の作用により雄ねじ付き筒部が縮径してビット本体の軸部を挟持し、これにより筒状体が軸部に固定される。
【考案の効果】
【００１５】
以上のように、本考案に係る、ねじ込み深さ調節機能を有するドライバービットは、当該ドライバービット自体が予備締め時のねじ込み深さ調節機能を有していて、冒頭で説明した特許文献１のように電動ドライバーなどの回転工具側に円筒突部を取り付けてねじ込み深さ調節機能を発揮させるようなものではないので、取扱いが容易になり、併せて、ねじ込み深さ調節を容易にかつ精度よく行うことができるようになる、という効果が奏される。
【図面の簡単な説明】
【００１６】
【図１Ａ】本考案に係るドライバービットの第１実施形態を例示した分解斜視図である。
【図１Ｂ】同第１実施形態の縦断面図である。
【図２Ａ】本考案に係るドライバービットの第２実施形態を例示した分解斜視図である。
【図２Ｂ】同第２実施形態の縦断面図である。
【図３Ａ】本考案に係るドライバービットの第３実施形態を例示した分解斜視図である。
【図３Ｂ】同第３実施形態の縦断面図である。
【図４Ａ】一例による予備締め手順の初期段階の状態を示した説明図である。
【図４Ｂ】一例による予備締め手順の中間段階の状態を示した説明図である。
【図４Ｃ】一例による予備締め手順の終了時点の状態を示した説明図である。
【図４Ｄ】一例による本締めの初期段階の状態を示した説明図である。
【図４Ｅ】一例による本締め終了時点の状態を示した説明図である。
【図５Ａ】他例による予備締めの初期段階の状態を示した説明図である。
【図５Ｂ】他例による予備締めの中間段階の状態を示した説明図である。
【図５Ｃ】他例による予備締めの終了時点の状態を示した説明図である。
【考案を実施するための形態】
【００１７】
図１Ａは本考案に係る、ねじ込み深さ調節機能を有するドライバービット（以下、単にドライバービットと称する）Ａの第１実施形態を例示した分解斜視図、図１Ｂは同第１実施形態の縦断面図である。
【００１８】
第１実施形態のドライバービットＡは、電動ドライバーのような回転工具に取り付けて使用され、六角孔付き止めねじでなるねじ体を機械部品やその他の部材に形成されたねじ孔にねじ込むことに用いられる。言い換えると、ねじ体をねじ孔に予備締めすることに用いられる。
【００１９】
図１Ａのように、ドライバービットＡは、ビット本体１０及び筒状体２０を備えている。ビット本体１０では、そのまっすぐなロッド状の軸部１１に、回転工具に装着される取付け部１２や、筒状体２０が固定される丸棒状のストレート部１３が具備されていて、この軸部１１の先端に、ねじ体としての六角孔付き止めねじの六角孔に相応する形状を有する係合部１４が一体に設けられている。また、筒状体２０の内径は、当該筒状体２０を上記ストレート部１３に大きながたつきなく軸方向スライド可能に嵌合することのできるサイズに形成されていて、その長さはストレート部１３よりも短い。
【００２０】
ドライバービットＡは、軸部１１に筒状体２０を固定することに用いられる位置決め機構３０をさらに備えている。第１実施形態のドライバービットＡに採用されている位置決め機構３０は、ビット本体１０の一部に形成された一定長さの雄ねじ部３１と、筒状体２０の後端部に設けられて上記雄ねじ部３１に対してねじ合わせ可能なねじ孔（図１Ａには表れていない）を有する筒部３２と、ロックナット体３４とを有する。さらに、ドライバービットＡは、筒状体２０の先端部により形成されて、上記予備締めを行う際に、ねじ孔の開口周縁部に突き当てられる当たり部２１を備えている。なお、筒状体２０の材質は金属であるが、金属にかえて合成樹脂を採用してもよく、構成樹脂を採用した場合には、当たり部２１によってねじ孔の開口周縁部が傷つくことが低減される。
【００２１】
図１Ｂに示したように、ビット本体１０の軸部１１を構成しているストレート部１３に筒状体２０を軸方向スライド可能に嵌合すると共に、筒状体２０の後端部の筒部３２のねじ孔３３を軸部１１の雄ねじ部３１にねじ合わせた状態で、あらかじめ雄ねじ部３１にねじ合わせておいたロックナット体３４を回転させることによって、そのロックナット体３４で筒部３２の端面を軸方向に押圧させると、筒部３２がその位置でロックされて軸部１１に対して回転不能になり、係合部１４に対する筒状体２０の軸方向位置が固定される。係合部１４に対する筒状体２０の軸方向位置は、上記予備締めを行う際のねじ体のねじ込み深さに関係している。係合部１４に対する筒状体２０の軸方向位置を変更して予備締め時のねじ体のねじ込み深さを調節するときには、ロックナット体３４を緩めた状態で筒部３２を正方向又は逆方向に回転させる。このようにすると、雄ねじ部３１と筒部３２のねじ孔３３との噛み合いを通じて筒部３２が筒状体２０と共に軸方向で前進又は後退して、係合部１４に対する筒状体２０の軸方向位置が変わる。このような位置変更後にロックナット体３４を回転させることによって、そのロックナット体３４で筒部３２の端面を軸方向に押圧させると、筒部３２がその位置でロックされて、係合部１４に対する筒状体２０の軸方向位置が固定される。
【００２２】
ここで、筒部３２を任意の角度だけ回転させたときの当該筒部３２の軸方向移動量は、筒部３２のねじ孔３３が噛み合っている雄ねじ部３１のピッチによって定まる。たとえば、雄ねじ部３１が並目ねじでそのピッチが１ｍｍであると、筒部３２を３６０度回転させたとき（すなわち１回転させたとき）の筒部３２の軸方向移動量は１ｍｍになる。したがって、このことを利用すると、係合部１４に対する筒状体２０の軸方向位置の変更に伴う軸方向移動量を容易に割り出すことができる。そこで、この第１実施形態では、上記軸方向移動量の目安を容易に認識することができるようにするための対策として、図１Ａに示したように、ビット本体１０の軸部１１を構成している取付け部１２と筒部３２との両方の表面に目印として利用可能なマークＭ１，Ｍ２を施している。こうしておくと、両方のマークＭ１，Ｍ２の回転方向での隔たりを目安として、上記した係合部１４に対する筒状体２０の移動量が認識しやすくなり、係合部１４に対する筒状体２０の軸方向位置の微調整を容易に行えるようになる。
【００２３】
図２Ａは本考案に係るドライバービットＡの第２実施形態を例示した分解斜視図、図２Ｂは同第２実施形態の縦断面図である。
【００２４】
第２実施形態のドライバービットＡは、上記した第１実施形態と同様に、電動ドライバーのような回転工具を用いてねじ体をねじ孔に予備締めすることに用いられる。
【００２５】
図２Ａのように、ドライバービットＡは、ビット本体１０及び筒状体２０を備えている。ビット本体１０では、そのまっすぐなロッド状の軸部１１に、回転工具に装着される取付け部１２や、筒状体２０が固定される丸棒状のストレート部１３が具備されていて、この軸部１１の先端に、ねじ体としての六角孔付き止めねじの六角孔に相応する形状を有する係合部１４が一体に設けられている。また、筒状体２０の内径は、当該筒状体２０を上記ストレート部１３に大きながたつきなく軸方向スライド可能に嵌合することのできるサイズに形成されていて、その長さはストレート部１３よりも短い。
【００２６】
ドライバービットＡは、軸部１１に筒状体２０を固定することに用いられる位置決め機構３０をさらに備えている。第２実施形態のドライバービットＡに採用されている位置決め機構３０は、上記筒状体２０の筒壁を貫通するねじ受け孔３５と、このねじ受け孔３５にねじ込まれる止めねじ３６とでなる。図２Ａには止めねじ３６を回転させるための六角レンチ３７を併せて示している。
【００２７】
さらに、ドライバービットＡは、筒状体２０の先端部により形成されて、上記した予備締めを行う際に、ねじ孔の開口周縁部に突き当てられる当たり部２１を備えている。なお、筒状体２０の材質は金属であるが、金属にかえて合成樹脂を採用してもよく、構成樹脂を採用した場合には、当たり部２１によってねじ孔の開口周縁部が傷つくことが低減される。
【００２８】
図２Ｂに示したように、ビット本体１０の軸部１１を構成しているストレート部１３に筒状体２０を軸方向スライド可能に嵌合すると共に、筒状体２０のねじ受け孔３５に止めねじ３６を六角レンチ３７を用いて締め付けると、筒状体２０が嵌合されている上記ストレート部１３に止めねじ３６の先端が突き当たり、係合部１４に対する筒状体２０の軸方向位置が固定される。係合部１４に対する筒状体２０の軸方向位置は、上記予備締めを行う際のねじ体のねじ込み深さに関係している。係合部１４に対する筒状体２０の軸方向位置を変更してねじ体のねじ込み深さを調節するときには、止めねじ３６を緩めて筒状体２０を軸方向で前進又は後退させると、係合部１４に対する筒状体２０の軸方向位置が変わる。このような位置変更後に止めねじ３６を締め付けると、係合部１４に対する筒状体２０の軸方向位置が固定される。
【００２９】
図３Ａは本考案に係るドライバービットＡの第３実施形態を例示した分解斜視図、図３Ｂは同第３実施形態の縦断面図である。
【００３０】
第３実施形態のドライバービットＡは、上記した第１及び第２の各実施形態と同様に、電動ドライバーのような回転工具を用いてねじ体をねじ孔に仮ねじ込みすることに用いられる。
【００３１】
図３Ａのように、ドライバービットＡは、ビット本体１０及び筒状体２０を備えている。ビット本体１０では、そのまっすぐなロッド状の軸部１１に、回転工具に装着される取付け部１２や、筒状体２０が固定される丸棒状のストレート部１３が具備されていて、この軸部１１の先端に、ねじ体としての六角孔付き止めねじの六角孔に相応する形状を有する係合部１４が一体に設けられている。また、筒状体２０の内径は、当該筒状体２０を上記ストレート部１３に大きながたつきなく軸方向スライド可能に嵌合することのできるサイズに形成されていて、その長さはストレート部１３よりも短い。
【００３２】
ドライバービットＡは、軸部１１に筒状体２０を固定することに用いられる位置決め機構３０をさらに備えている。第３実施形態のドライバービットＡに採用されている位置決め機構３０は、筒状体２０の後端部に形成されて周方向の複数箇所に割溝４１を有する縮径可能な雄ねじ付き筒部４２と、この雄ねじ付き筒部４２にねじ合わされるナット体４３とを有していると共に、ナット体４３を雄ねじ付き筒部４２にねじ込むことを介して当該筒部４２を縮径させることのできる締付け機構４４（締付け機構４４については後述する）と、でなる。
【００３３】
さらに、ドライバービットＡは、筒状体２０の先端部により形成されて、上記予備締め行う際に、ねじ孔の開口周縁部に突き当てられる当たり部２１を備えている。なお、筒状体２０の材質は金属であるが、金属にかえて合成樹脂を採用してもよく、構成樹脂を採用した場合には、当たり部２１によってねじ孔の開口周縁部が傷つくことが低減される。
【００３４】
図３Ｂに示したように、ビット本体１０の軸部１１を構成しているストレート部１３に筒状体２０を軸方向スライド可能に嵌合した状態で、ナット体４３を雄ねじ付き筒部４２にねじ込むことにより、締付け機構４４の作用で当該筒部４２を縮径させると、この筒部４２がストレート部１３を挟持して、係合部１４に対する筒状体２０の軸方向位置が固定される。係合部１４に対する筒状体２０の軸方向位置は、上記予備締めを行う際のねじ体のねじ込み深さに関係している。係合部１４に対する筒状体２０の軸方向位置を変更してねじ体の予備締め時のねじ込み深さを調節するときには、ナット体４３を緩めて雄ねじ付き筒部４２によるストレート部１３の挟持状態を解除した後、筒状体２０を軸方向で前進又は後退させると、係合部１４に対する筒状体２０の軸方向位置が変わる。このような位置変更後にナット体４３を雄ねじ付き筒部４２にねじ込むことにより、締付け機構４４の作用で当該筒部４２を縮径させると、この筒部４２がストレート部１３を挟持して、係合部１４に対する筒状体２０の軸方向位置が固定される。
【００３５】
この第３実施形態において、上記締付け機構４４は次のように構成されている。すなわち、図３Ｂに示したように、この締付け機構４４は、雄ねじ付き筒部４２の端部に設けられた先細形状のテーパー部４５と、ナット体４３の内周面に形成されて上記テーパー部４５の外周面に重なり合うテーパー面４６とによって構成されている。この締付け機構４４では、ナット体４３を締め付けると、そのナット体４３のテーパー面４６が重なり合っているテーパー部４５に軸方向荷重が作用し、その軸方向荷重によりテーパー部４５と共に雄ねじ付き筒部４２が半径方向に締め付けられる。したがって、上記したように、ナット体４３を雄ねじ付き筒部４２にねじ込むと、締付け機構４４の作用で当該筒部４２が縮径してストレート部１３を挟持し、係合部１４に対する筒状体２０の軸方向位置が固定される。
【００３６】
以上説明した第１、第２及び第３の各実施形態では、いずれも、筒状体２０がビット本体１０の軸部１１を構成している丸棒状のストレート部１３にスライド可能に嵌合されているけれども、この点は、ストレート部がたとえば六角柱状に形成されていてもよく、その場合には、六角柱状のストレート部に大きながたつきなく嵌合可能な大きさの六角形状の筒孔を備えた筒状体２０を採用することが望ましい。
【００３７】
次に、図４Ａ〜図４Ｅを参照して予備締めの手順の一例を説明する。なお、図４Ａに示されているように、この事例では、ビット本体１０の軸部１１を構成しているストレート部１３に固定された筒状体２０の当たり部２１からビット本体１０の係合部１４が突出していて、機械部品である円筒状のカラー５０に形成されているねじ孔５１に、六角孔付き止めねじ（いもねじ）としてのねじ体６０を予備締めする場合を説明する。
【００３８】
ねじ体６０の六角孔はビット本体１０の係合部１４の相手方要素であって、その六角孔の内周面は被係合面６１としての六角形の周面になっている。そのため、上記係合部１４はねじ体６０の被係合面６１としての六角形の周面に対して抜き差し自在でかつ周方向で係合可能である。
【００３９】
図４Ａのように、ストレート部１３に固定された筒状体２０の当たり部２１から突出している係合部１４を、カラー５０のねじ孔５１にねじ込まれているねじ体６０の被係合面６１に挿入すると、筒状体２０の当たり部２１が、カラー５０のねじ孔５１の開口周縁部６２に間隔ａを隔てて対峙する。この状態から、回転工具を動作させてドライバービットＡのビット本体１０の係合部１４をねじ体６０に押し付けながら正回転させると、ビット本体１０の回転がねじ体６０に伝達されてねじ体６０がねじ孔５１にねじ込まれる。
【００４０】
このねじ込みに伴って筒状体２０がビット本体１０と共に前進してその当たり部２１が図４Ｃのようにねじ孔５１の開口周縁部６２に突き当たり、ねじ込みに伴うビット本体１０の前進が阻止される。この状態からビット本体１０の回転がねじ体６０に伝達されると、ねじ体６０だけが前進して図４Ｃのようにねじ体６０の被係合面６１としての周面からビット本体１０の係合部１４が抜け出し、ビット本体１０からねじ体６０への回転の伝達がなされなくなる。これによって、予備締めが終了し、ねじ体６０のねじ込み深さが定まる。
【００４１】
予備締めの後に本締めが行われる。本締めは、図４Ｄのようにカラー５０に軸棒７０を挿通させ、また、予備締めされたねじ体６０の被係合面６１に六角レンチ８０を差し込む。そして、図４Ｃのように六角レンチ８０を回してねじ体６０をねじ込み、ねじ体６０の先端を軸棒７０に突き当てる。これにより本締めが終了し、カラー５０が軸棒７０に固定される。
【００４２】
ところで、図４Ｄに示した予備締め終了時点でのねじ体６０先端とねじ孔５１の終端出口との間隔Ｃの広狭は、その後に行われる本締めでの作業性に影響を及ぼす。すなわち、本締めでは、上記間隔Ｃの広さに見合う量（角度）だけねじ体６０を回転させる必要があり、ねじ体６０の必要回転量が少ないほど本締め時の作業効率が向上する。したがって、予備締めによって上記間隔Ｃをできるだけ狭くしておくことが望ましいと云える。本考案に係るドライバービットＡにおいて、上記間隔Ｃは、図４Ａに示した筒状体２０の当たり部２１からの係合部１４の突出幅ｂ１、ねじ孔５１の深さ、ねじ体６０の長さ、ねじ体６０の被係合面６１の深さなどを勘案することによって容易に定めることが可能である。
【００４３】
次に、図５Ａ〜図５Ｃを参照して予備締めの手順の他例を説明する。なお、図５Ａに示されているように、この事例では、ビット本体１０の軸部１１を構成しているストレート部１３に固定された筒状体２０の当たり部２１からビット本体１０の係合部１４が退入していて、機械部品である円筒状のカラー５０に形成されているねじ孔５１に、六角孔付きボルトとしてのねじ体６０を予備締めする場合を説明する。
【００４４】
ねじ体６０の筒部の六角孔はビット本体１０の係合部１４の相手方要素であって、その六角孔の内周面は被係合面６１としての六角形の周面になっている。そのため、上記係合部１４はねじ体６０の被係合面６１としての六角形の周面に対して抜き差し自在でかつ周方向で係合可能である。
【００４５】
図５Ａのように、ストレート部１３に固定された筒状体２０の当たり部２１から退入している係合部１４を、カラー５０のねじ孔５１にねじ込まれているねじ体６０の被係合面６１に挿入すると、筒状体２０の当たり部２１が、カラー５０のねじ孔５１の開口周縁部５２に間隔ａを隔てて対峙する。この状態から、回転工具を動作させてドライバービットＡのビット本体１０の係合部１４をねじ体６０に押し付けながら正回転させると、ビット本体１０の回転がねじ体６０に伝達されてねじ体６０がねじ孔５１にねじ込まれる。
【００４６】
このねじ込みに伴って筒状体２０がビット本体１０と共に前進してその当たり部２１が図５Ｂのようにねじ孔５１の開口周縁部６２に突き当たり、ねじ込みに伴うビット本体１０の前進が阻止される。この状態からビット本体１０の回転がねじ体６０に伝達されると、ねじ体６０だけが前進して図５Ｃのようにねじ体６０の被係合面６１としての周面からビット本体１０の係合部１４が抜け出し、ビット本体１０からねじ体６０への回転の伝達がなされなくなる。これによって、予備締めが終了し、ねじ体６０のねじ込み深さが定まる。
【００４７】
予備締めの後に本締めが行われる。図示していないけれども、本締めは、たとえば、ねじ体６０の頭部とカラー５０との隙間に別部材を差し込み、その後、予備締めされたねじ体６０の被係合面６１に六角レンチを差し込み、六角レンチを回してねじ体６０をねじ込んで上記別部材をねじ体６０の頭部とカラー５０との間に挟み込んで挟持させる。これにより本締めが終了し、別部材がねじ体６０を介してカラー５０に固定される。
【００４８】
ところで、図５Ｃに示した予備締め終了時点でのねじ体６０頭部とカラー５０との隙間Ｚの広狭は、その後に行われる本締めでの作業性に影響を及ぼす。すなわち、本締めでは、上記隙間Ｚの広さに見合う量（角度）だけねじ体６０を回転させる必要があり、ねじ体６０の必要回転量が少ないほど本締め時の作業効率が向上する。したがって、予備締めによって上記隙間Ｄをできるだけ狭くしておくことが望ましいと云える。本考案に係るドライバービットＡにおいて、上記隙間Ｄは、図５Ａに示した筒状体２０の当たり部２１からの係合部１４の退入幅ｂ２、ねじ孔５１の深さ、ねじ体６０の長さ、ねじ体６０の被係合面６１の深さなどを勘案することによって容易に定めることが可能である。
【００４９】
図４Ａ〜図４Ｃ及び図５Ａ〜図５Ｃを参照して説明した予備締めの手順では、ねじ体６０として、被係合面６１が六角形の周面によって形成されているものを説明したけれども、この点は、被係合面がプラス型やマイナス型などの他の形状であってもよく、その場合には当然にビット本体１０の係合部１４の形状も被係合面６１の形状に合わせたものが選定される。また、ねじ体の被係合面が頭付きボルトの頭部の外周面であってもよく、その場合には、ビット本体の係合部としてソケット型のものが選定される。
【００５０】
なお、本明細書中での説明において、図面に示された要素のうち、同一又は相応する要素には、便宜上、同一符号を付した。
【符号の説明】
【００５１】
Ａ  ドライバービット（ねじ込み深さ調節機能を有するドライバービット）
１０  ビット本体
１１  軸部
１４  係合部
２０  筒状体
２１  当たり部
３０  位置決め機構
３１  雄ねじ部
３２  筒部
３３  筒部のねじ孔
３４  ロックナット体
６０  ねじ体
６１  被係合面
６２  ねじ孔の開口周縁部
３５  ねじ受け孔
３６  止めねじ
４１  割溝
４２  雄ねじ付き筒部
４３  ナット体
４４  締付け機構
Ｍ１，Ｍ２  マーク
【図１Ａ】
0003218679.tif 000003
【図１Ｂ】
0003218679.tif 000004
【図２Ａ】
0003218679.tif 000005
【図２Ｂ】
0003218679.tif 000006
【図３Ａ】
0003218679.tif 000007
【図３Ｂ】
0003218679.tif 000008
【図４Ａ】
0003218679.tif 000009
【図４Ｂ】
0003218679.tif 000010
【図４Ｃ】
0003218679.tif 000011
【図４Ｄ】
0003218679.tif 000012
【図４Ｅ】
0003218679.tif 000013
【図５Ａ】
0003218679.tif 000014
【図５Ｂ】
0003218679.tif 000015
【図５Ｃ】
0003218679.tif 000016